(57)【特許請求の範囲】
【請求項１】
ランプを収納する本体と；
本体にランプと対向して設けられ光を外方に透過させる透光体と；
ランプを保持するソケットと；
一端部でソケットを支持すると共にランプを保持する保持具を有するソケット台と；
ソケット台を本体に支持すると共にソケット台を移動することによりソケット台の設置位置を調整する調整機構と；
を具備することを特徴とする照明器具。
【請求項２】
前記調整機構は、ソケット台を本体に対して略水平方向に移動してソケット台の設置位置を調整するようにしたことを特徴とする請求項１に記載の照明器具。
【請求項３】
前記調整機構は、ソケット台を本体に対して設置角度を変えるようにしてソケット台の設置位置を調整するようにしたことを特徴とする請求項１に記載の照明器具。
【請求項４】
前記調整機構は、ソケット台にランプ軸線に対し傾斜する支持部を形成し、ソケット台をランプ軸線を中心線として反転して支持することによりソケット台の設置位置を調整するようにしたことを特徴とする請求項１に記載の照明器具。
【発明の詳細な説明】
【技術分野】
【０００１】
本発明は、道路灯や投光器などの照明器具に関する。
【背景技術】
【０００２】
この種の照明器具は、屋外に設置されたポールやアームなど、支柱先端部の高い位置に取り付け、路面を広範囲にわたって照明を行うように設置されている。
【０００３】
また、特許文献１に示されるように、その設置場所や用途に応じて、ランプの取り付け角度を変えて上下方向に配光を調整することが行われている。
【０００４】
また、ランプを水平方向及び上下方向に移動させて、歩道から車道に向けた標準的な配光から、歩道側を明るく照明する直下用の配光、さらに路肩が広い場合等、ポール前方の路面をより明るくする前方用の配光等に調整することが行われている。
【０００５】
さらに、特許文献２に示されるように、多様化するランプに対応するために、定格電力及び大きさの異なるランプに対してソケット台の設置位置を調節し、ランプの大きさが変わっても配光が変わらないように構成している。
【０００６】
一方、この種の照明器具に使用されるランプは、水平に設置され、その一端部がソケットにねじ込まれて支持されている。このためランプ重量によって先端部が垂れ下がる問題から、ランプをソケットとランプ支持部の２点で支持して構成している（例えば、特許文献３参照）。
【０００７】
特に、この種の照明器具は、屋外の高所に設置されているために、強風や大型車両の激しい往来による振動などによって本体が振動し、内蔵されたランプが揺れることもあり、この観点からもランプを２点で支持することが行われている。
【特許文献１】実公昭６３−１３７１号公報
【特許文献２】実公平３−５３３６３号公報
【特許文献３】特開平９−２１３１０７号公報
【発明の開示】
【発明が解決しようとする課題】
【０００８】
しかしながら、特許文献１及び特許文献２に示される照明器具は、ランプをソケットのみの１点で支持したもので、ランプの先端部が垂れ下がる問題を有している。
また、特許文献３に示されるものは、ランプをソケットとランプ支持部の２点で支持しているが、配光制御やランプの大きさに対応した設置位置の調整ができない。
【０００９】
また、ソケットを取り付けるソケット台とランプ支持部は別体の部品として構成され、器具としての部品点数が多くなり、組み立て作業が煩雑になって器具のコストアップ要因になる問題がある。
【００１０】
このため、部品点数を少なくし、組み立て作業を簡素化し、かつランプを強固に支持することができる照明器具が要望されている。
【００１１】
同時に、ランプの設置位置を調整することが可能で、各種の仕様、用途に応じた適切な配光制御を行うことができる照明器具、さらに昨今のランプの多様化に伴う、各種ランプの形状、大きさに対応して、ランプの設置位置を調整することが可能な照明器具の出現が強く要望され、重要な課題となっている。
【００１２】
本発明は、上述した問題、課題を解決することを目的とし、組み立て作業の簡素化が可能な構成でランプを強固に支持することができると共に、ランプの設置位置を調整することが可能で、各種の仕様、用途に応じた適切な配光制御が行える照明器具を提供しようとするものである。
【００１３】
さらに、各種ランプの形状、大きさ等に対応して、ランプの設置位置を調整することが可能な照明器具を提供しようとするものである。
【課題を解決するための手段】
【００１４】
請求項１に記載の照明器具の発明は、ランプを収納する本体と；本体にランプと対向して設けられ光を外方に透過させる透光体と；ランプを保持するソケットと；一端部でソケットを支持すると共にランプを保持する保持具を有するソケット台と；ソケット台を本体に支持すると共にソケット台を移動することによりソケット台の設置位置を調整する調整機構と；を具備することを特徴とする。
【００１５】
本発明によれば、一端部でソケットを支持すると共にランプを保持する保持具を有するソケット台を構成し、組み立て作業の簡素化が可能な構成でランプを強固に支持することができる。
【００１６】
さらに、ソケット台を本体に支持すると共にソケット台を移動することによりソケット台の設置位置を調整する調整機構を構成したことにより、各種の仕様、用途に応じた適切な配光制御が行える照明器具が構成される。
さらに、各種ランプの形状、大きさ等に対応して、ランプの設置位置を調整することが可能な照明器具が構成される。
【００１７】
本発明において、照明器具は、道路灯、トンネル灯、街路灯、防犯灯や投光器等の屋外用の照明器具、さらにはホールや体育館等に使用される屋内用の照明器具等、全ての照明器具が許容される。
【００１８】
ランプは、メタルハライドランプ、ナトリウムランプ、水銀ランプ等のＨＩＤランプでも、さらには白熱電球、電球形の蛍光ランプ等、ソケットに支持される全てのランプが許容される。
【００１９】
ランプと対向して設けられた光を外方に透過させる透光体は、透明体でも、乳白色等の半透明体でもよく、材質はガラスでも合成樹脂等で構成してもよい。
【００２０】
さらに、ランプの発光部分が全て透光体に対向していることが好ましいが、全てが完全に対向している必要はなく、光のロスが大きく生じない程度の範囲内で、略実質的に対向していればよい。
【００２１】
ランプを収納する本体は、例えば、道路灯のように開口部を有し、開口部を閉塞する蓋体を有するものでも、投光器のように蓋体を設けずに、ガラスからなる透光体が蓋の役目をなすように構成したものでもよい。
【００２２】
一端部でソケットを支持すると共にランプを保持する保持具を有するソケット台は、ソケットを支持する部分とランプを保持する保持具が、一枚の金属板から一体に形成されていることが好ましいが、それぞれを別個に構成し、溶接等の手段で一体に形成したものでもよい。さらに、材質は金属に限らず、合成樹脂等で構成してもよく、ランプを保持するとは、少なくとも保持具の一部とランプが接していればよく、ランプを保持する部分は、ランプの発光部を除いた部分であることが好ましい。
【００２３】
調整機構におけるソケット台の移動は、水平方向、垂直方向、斜め方向に移動させる手段であっても、さらには回転や反転させる手段で移動させてもよく、ソケット台の設置位置を変えることができる全ての移動手段が許容される。
【００２４】
請求項２に記載の発明は、請求項１に記載の照明器具において、前記調整機構は、ソケット台を本体に対して略水平方向に移動してソケット台の設置位置を調整するようにしたことを特徴とする。
【００２５】
本発明において、略水平方向とは、厳密に幾何学的に水平の方向である必要はなく、多少傾いた方向であってもよく、配光が制御できる範囲内で、略実質的に水平方向になっていればよい。
【００２６】
さらに、ソケット台がランプ軸線と平行して水平方向に移動することが好ましいが、ランプが傾斜して設置されている場合には、ランプ軸線とは別に水平線または器具の長手方向の軸線と平行して水平方向に移動しても、さらには、一点を中心とした扇状に水平に広がる所定角度の範囲内で水平方向に移動させるようにしてもよい。
【００２７】
前記調整機構は、ソケット台と本体に設けられた複数の設置孔を有する調整板で構成し、調整板の設置孔を選択してソケット台を支持することによりソケット台の設置位置を調整することが許容される。
【００２８】
この場合における調整板の複数の設置孔は、例えば、調整板両側に、３対、計６個の設置孔を形成し、いずれか、対となった一組の設置孔を選択することにより、ソケット台を略水平方向に移動させ、標準用配光、直下用配光、前方用配光の３種の配光制御をすることが許容されるが、設置孔の個数は配光制御する種類に合わせて適宜設定すればよく、特定の個数には限定されない。
【００２９】
調整機構の調整板は、本体と別体に形成しても、例えば、アルミダイカストからなる本体に一体に形成してもよく、材質は金属でも合成樹脂等で構成してもよい。
【００３０】
請求項３に記載の発明は、請求項１に記載の照明器具において、前記調整機構は、ソケット台を本体に対して設置角度を変えるようにしてソケット台の設置位置を調整するようにしたことを特徴とする。
【００３１】
本発明において、ソケット台を本体に対して設置角度を変えるようにするとは、下方に向かう俯角と上方に向かう仰角に対して設置角度を変えることが好ましいが、俯角方向のみでも、または仰角方向のみに対して設置角度が変えられるようにしてもよい。
【００３２】
請求項４に記載の発明は、請求項１に記載の照明器具において、前記調整機構は、ソケット台にランプ軸線に対し傾斜する支持部を形成し、ソケット台をランプ軸線を中心線として反転して支持することによりソケット台の設置位置を調整するようにしたことを特徴とする。
【００３３】
ランプ軸線に対し傾斜する支持部は、ソケット台をランプ軸線を中心線として反転して支持する際に、共にソケット台の傾斜する支持部が水平になるように支持することにより、ランプ軸線が上方または下方に向かうように設置角度を変えるための手段で、傾斜する角度は、例えば、直管形のランプや中央部が膨らんだＢＴ形バルブを有するランプを取り付けた際に、ガラス等の透光体にランプが干渉しない程度に、傾斜させた角度でよく、傾斜する方向も左右等いずれの方向であってもよい。
【発明の効果】
【００３４】
請求項１の発明によれば、一端部でソケットを支持すると共にランプを保持する保持具を有するソケット台を構成したので、組み立て作業の簡素化が可能な構成でランプを強固に支持することができる照明器具を提供することができる。
【００３５】
さらに、ソケット台を本体に支持すると共にソケット台を移動することによりソケット台の設置位置を調整する調整機構を構成したことにより、各種の仕様、用途に応じた適切な配光制御が行える照明器具を提供することができる。
【００３６】
さらに、各種ランプの形状、大きさ等に対応して、ランプの設置位置を調整することが可能な照明器具を提供することができる。
【００３７】
請求項２の発明によれば、ソケット台を本体に対して略水平方向に移動してソケット台の設置位置を調整するようにしたので、各種の仕様、用途に応じた適切な配光制御が行える照明器具を提供することができる。
【００３８】
請求項３の発明によれば、ソケット台を本体に対して設置角度を変えるようにしてソケット台の設置位置を調整するようにしたので、各種ランプの形状、大きさ等に対応して設置することが可能な照明器具を提供することができる。
【００３９】
請求項４の発明によれば、ソケット台をランプ軸線を中心線として反転して支持することによりソケット台の設置位置を調整するようにしたので、簡単な構成及び簡易な手段により各種ランプの形状、大きさ等に対応して設置することが可能な照明器具を提供することができる。
【発明を実施するための最良の形態】
【００４０】
以下、本発明の照明器具の実施形態につき説明する。
【実施例１】
【００４１】
本実施例の照明器具は、各種の仕様、用途に応じた適切な配光制御が行える道路灯として構成したもので、その構成を図１〜図５に従い説明する。
【００４２】
１０は道路灯で、ランプ１１を収納する本体１２、本体にランプと対向して設けられる透光体１３、ランプを保持するソケット１４、ソケットを支持すると共にランプを保持する保持具１５ｃを有するソケット台１５、ソケット台を移動することによりソケット台の設置位置を調整する調整機構１６で構成する。
【００４３】
ランプ１１は、高圧ナトリウムランプ等のＨＩＤランプで構成し、本体１２内に収納して保持される。
【００４４】
本体１２は、アルミダイカスト製の上面を開口した箱体で構成し、中間部に設けられた仕切壁１２ａにより、空間の広い収納部１２ｃ及び空間の狭い取付部１２ｄを形成し、収納部１２ｃの底面に透明な強化ガラスからなる透光体１３を取付けた照射開口１２ｆを形成し、取付部１２ｄにポールＰへ器具を取付けるための筒状のポール支持部１２ｇを一体に形成する。
【００４５】
収納部１２ｃ側に面する仕切壁１２ａには、ランプ１１のソケット１４がソケット台１５を介して取付けられる。
【００４６】
すなわち、ソケット台１５は、亜鉛メッキ鋼板からなり、平らな支持部１５ａの両端に直角に折り曲げられて形成されたソケット支持部１５ｂ及びランプを保持する保持具１５ｃを一体に形成する。さらに支持部１５ａの両側を立ち上げて補強部１５ｄを一体に形成する。
【００４７】
ソケット支持部１５ｂには、ソケットを挿通する円形の取付孔１５ｅと取付孔の外周に形成した半円弧上の支持溝１５ｆを形成する。
【００４８】
ランプを保持する保持具１５ｃは、円形リング状をなし、リングにはシリコンからなる緩衝リング１５ｇが嵌め込まれている。
【００４９】
上記に構成したソケット支持部１５ｂの取付孔１５ｅにソケット１４を挿通してソケットの鍔部を取付孔１５ｅ背面に当接し、支持溝１５ｆを介してボルト１５ｈで固定し、ソケット台１５にソケット１４を取り付ける。
【００５０】
図中１５ｉは、支持部１５ａのソケット支持部１５ｂ側に形成した支持孔で、一方の支持孔１５ｉ´は切り欠きを有する孔で形成する（図１（ｂ））。
【００５１】
さらに、収納部１２ｃ側に面する仕切壁１２ａの底面左右に、対をなす、計４本の支持ボス１２ｈを一体に底面から突出させて形成し、調整機構１６を構成する調整板１６ａをボルト１６ｂにより固定する。
【００５２】
調整板１６ａは亜鉛メッキ鋼板からなり、その左右両側に平行して、複数、本実施例では３対、計６個のねじ孔からなる設置孔１６ｃを形成する。
【００５３】
３対、計６個の設置孔１６ｃは、本体の仕切壁１２ａに近い一対の設置孔１６ｃ１、１６ｃ１が前方用配光の設置位置、中央の一対の設置孔１６ｃ２、１６ｃ２が標準用配光の設置位置、さらに仕切壁１２ａから遠い一対の設置孔１６ｃ３、１６ｃ３が直下用配光の設置位置になるように各孔が形成されている。
【００５４】
これら調整板１６ａの３対、計６個の設置孔１６ｃの内、いずれか、対となった一組の設置孔を選択するように、ソケット台１５を水平方向に移動して支持することにより、ソケット台１５の設置位置が調整され配光制御が行われる。
【００５５】
まず、照明器具１０は、標準器具として標準用配光になるようにセットされる。
【００５６】
すなわち、上記のように支持ボス１２ｈにボルト１６ｂで固定された調整機構１６の調整板１６ａに、ソケット台１５の支持部１５ａを載せ、その支持孔１５ｉ、１５ｉ´を、３対、計６個の設置孔１６ｃの内、中央に位置する対となった一組の設置孔１６ｃ２、１６ｃ２を選択し位置を合わせるように調整し、２本のボルト１５ｊを合致した支持孔１５ｉ、１５ｉ´からねじ孔である設置孔１６ｃ２、１６ｃ２に、それぞれ挿通してねじ込み固定する（図３（ｂ））。
【００５７】
なお、ソケット台１５の一方の支持孔１５ｉ´は切り欠いて形成してあるので、先にボルト１５ｊを設置孔１６ｃ２に、少しねじ込んで仮止めの状態にしておき、このボルト１５ｊに切り切り欠いた形状の支持孔１５ｉ´を嵌め込み、他方の円形の支持孔１５ｉを設置孔１６ｃ２に合わせてボルト１５ｊをねじ込んで固定するようにする。
【００５８】
これにより、図３（ａ）に示すように、ソケット１４が標準用配光の位置になるようにソケット台１５を介して本体の収納部１２ｃ側に取り付けられる。
【００５９】
上記に取り付けられたソケット台１５の保持具１５ｃに、ランプ１１を口金側から挿通し、挿通した口金をソケット１４にさらにねじ込んで固定する。
【００６０】
これにより、ランプ１１が標準用配光の位置になるように設置されると共に、ランプが本体の長手方向に沿い、ランプ軸線ｘ―ｘが略水平の状態で透光体１３のガラスに所定の間隔を有して対向するように支持される。
【００６１】
さらに、ランプ１１は、ソケット１４と保持具１５ｃの２点で支持され、ランプ先端が下方に垂れ下がることなく強固に支持される。
【００６２】
また、ランプ１１の首部分が保持具１５ｃのシリコンからなる緩衝材１５ｇを介して、緩衝材の内面に密着した状態で支持されるので、ランプが揺れることもなく、またバルブが破損するようなことなく確実に支持される。
【００６３】
図中１７は蓋体で、本体１２と同様にアルミダイカスト製で、本体の上面開口を塞ぐ形状に構成し、その内面にアルミニウム等の板材でドーム形状に形成した反射体１８を、その開口部がランプ１１上面に面するようにして取付ける。
【００６４】
蓋体１７は、その一端部にヒンジ部を形成し、本体１２のヒンジ部と共にヒンジ１９を構成して開閉ができるように構成する。
【００６５】
蓋体１７は、本体１２に対し閉止した状態でラッチ機構２０により強固に保持される。
【００６６】
なお、本体１２と蓋体１７との間にはパッキングを介在させ、蓋体１７を閉止した状態で、蓋体と本体は水密かつ気密にして防水性能を有するように構成する。
【００６７】
本体１２の照射開口１２ｆに取付られた透光体１３も、パッキング２１を介して取付けられ、水密かつ気密にして防水性能を有するように取り付けられる。
【００６８】
なお、本体１２におけるポール支持部１２ｇを形成した取付部１２ｄの空間部には、電気配線用端子板等の部品２２が収納されている。
【００６９】
また、自動車等がポールＰに衝突した衝撃で、本体１２がポールＰから落下しないように、図示しない落下防止用のワイヤーで本体とポールとを連結する。
【００７０】
次に、上記に構成した照明器具の作動につき説明する。
【００７１】
まず、道路灯１０は、蓋体１７を本体１２に閉止した状態で、クレーン等を使用して、ポールＰの先端に運び、ポール支持部１２ｇをポールＰの先端部に挿入し、ボルトでポールに強固に固定して設置する。
【００７２】
この状態でランプ１１を点灯すれば、照明器具は図３（ａ）（ｂ）にように標準器具としてセットされているので、図３（ｃ）に示す歩道から車道に向けた標準用配光を持って路面の照明を行うことができる。
【００７３】
また、歩道に、例えば、バスの停留所等があり、歩道側をより明るくしたい場合には、本体１２の蓋体１７を開放し、標準用配光の設置位置である中央の一対の設置孔１６ｃ２、１６ｃ２に固定されている２本のボルト１５ｊを外し、図４（ａ）に示すように、ソケット台１５を直下用配光の設置位置である対となった一組の設置孔１６ｃ３、１６ｃ３側に水平方向に移動させ、支持孔１５ｉ、１５ｉ´を設置孔１６ｃ３、１６ｃ３に合わせて設置位置の調整を行い２本のボルト１５ｊで固定する。
【００７４】
これにより、ランプ１１が直下用配光の位置に設置されて、歩道側を明るくした照明を行うことができる（図４（ｂ））。
【００７５】
さらに、路肩が広く、ポール前方の路面をより明るくしたい場合には、標準用配光の設置位置である中央の一対の設置孔１６ｃ２、１６ｃ２に固定されている２本のボルト１５ｊを外し、図５（ａ）に示すように、ソケット台１５を前方用配光の設置位置である対となった一組の設置孔１６ｃ１、１６ｃ１側に水平方向に移動させ、支持孔１５ｉ、１５ｉ´を設置孔１６ｃ１、１６ｃ１に合わせて設置位置の調整を行い２本のボルト１５ｊで固定する。
【００７６】
これにより、ランプ１１が前方用配光の位置に設置されて、路面前方をより明るくした照明を行うことができる（図５（ｂ））。
【００７７】
因みに従来では、標準用配光、直下用配光、前方用配光にセットされた器具をそれぞれ現場に用意しておき、設置場所に応じて器具を個々に選択して設置する作業を行っていた。
【００７８】
これに対し、本実施例では、現場には標準用配光等にセットされた一種類の器具を用意し、いちいち選択することなく、用意された器具をポールに順次設置し、その設置場所に応じてソケット台１５を水平方向に移動し、調整板１６ａの複数の設置孔を選択する簡易な操作でソケット台１５の設置位置を調整して支持すればよく、現場での作業が一段と効率化される。
【００７９】
本実施例において、調整機構１６は、調整板１６ａ両側に、３対、計６個の設置孔を形成し、いずれか、対となった一組の設置孔を選択するようにして構成したが、調整板１６ａ両側に、一対、計２個の長孔からなる設置孔を形成し、ソケット台１５を長孔に沿って移動し、連続的に設置位置が選択できるように構成してもよい。
【００８０】
これによりソケット台１５の設置位置が連続的に選択でき、配光をより細かく制御することができる。
【００８１】
なお、長孔の場合には、設置孔としてボルトを直接ねじ込むためのねじ孔を形成することができないので、ボルトを挿通しナットで固定する方式にする。
【００８２】
ソケット台１５を水平方向移動するようにして調整機構を構成したが、ソケット台を垂直方向に移動し、反射板１８との距離を調整することで配光を制御するようにしてもよい。
【００８３】
ソケット台１５のソケット支持部１５ｂ及び保持具１５ｃを、平らな支持部１５ａの両端を直角に折り曲げて形成したが、直角にすることが条件でなく、多少傾斜させて形成するようにしてもよい。
【００８４】
道路灯として構成したが、防犯灯や街路灯などの照明器具でもよく、防犯灯や街路灯など比較的小型の照明器具の場合には、本体及び蓋体はアルミダイカストに代えて強固な合成樹脂で構成してもよい。
【００８５】
本実施例によれば、ソケット台１５は、ソケット支持部１５ｂ及びランプを保持する保持具１５ｃを一体に形成して構成したので、従来のようにソケット台１５と保持具１５ｃを個々に別個に組み立てる必要がなく、簡単な構成と相まって組み立て作業も容易に行うことができ、コスト的に有利な照明器具を提供することができる。
【００８６】
ランプ１１は、ソケット１４と保持具１５ｃの２点で支持され、ランプ先端が下方に垂れ下がることなく強固に支持される。
【００８７】
ランプ１１は保持具１５ｃのシリコンからなる緩衝材１５ｇを介して支持されるので、ランプが揺れることもなく、またガラスバルブが破損することなく支持される。
【００８８】
調整機構１６は、調整板１６ａ両側に、３対、計６個の設置孔形成し、ソケット台１５を移動して、いずれか、対となった一組の設置孔を選択するようにして構成したので、簡単な構成及び簡易な操作により、ソケット台の設置位置を調整することができ、各種の仕様、用途に応じた適切な配光制御を行うことができる。
【００８９】
特に、現場には標準用配光等にセットされた一種類の器具を用意すればよく、現場での設置作業が一段と効率化される。
【００９０】
従来、この種、道路灯では、ダイカストからなる本体に複数のボスを予め形成しておき、このボスにソケット台の取付孔を合わせることにより、ソケット台の設置位置の調整が行われていた。
【００９１】
このため、設置位置を決めるボスがダイカスト設計時に概略的設定されており、多様化した各種ランプには対応しきれず、後から新たな位置にランプを設置する必要が生じた場合には、ソケット台を新たに作り直す必要があった。
【００９２】
本実施例によれば、ソケット台を新たに作り直す必要もなく、ソケット台を移動する簡単な構成及び簡易な操作により、ソケット台の設置位置を調整することができる。
【００９３】
また、従来において、広い範囲にわたる配光制御に対応させるためには必然的にソケット台を長く大きくしなければならない。
【００９４】
しかし、ソケット台は通常厚さ約２ｍｍ程度の鋼板で形成されるため、長く大きくなると強度が弱くなり、器具の振動などにより揺れを起こし、最悪の場合には、ランプと透光体のガラスとが干渉するようなケースも生じる。
【００９５】
本実施例によれば、ソケット台を長く大きく形成する必要はなく、特に、ソケット台は、その水平な支持部１５ａを調整板１６ａの上に載せてボルト１５ｊで固定するので、ソケット台１５の固定部分は、支持部１５ａと調整板１６ａの２枚の板が重なった状態となって強度が増す、特に器具の振動に対する下方向への強度が非常に頑強になる。
【００９６】
さらに、ダイカストからなる本体に、調整板１６ａの下面に対向して補助的なボスを形成すれば、調整板１６ａが補助ボスで支持され、より一層ソケット台の強度を増すことができ、さらに振動に対して強くなる。
【実施例２】
【００９７】
本実施例の照明器具は、各種ランプの形状、大きさ等に対応して、ランプの設置位置を調整することが可能な道路灯として構成したもので、その構成を図６〜図８に従い説明する。
【００９８】
本実施例の照明器具は、ソケット台を本体に対して設置角度を変えるようにしてソケット台の設置位置を調整するようにしたもので、図６〜図８には、実施例１と同一部分には同一符号を付して説明する。
【００９９】
３０は、本実施例における調整機構で、ソケット台３１にランプ軸線ｘ―ｘに対して傾斜する２個の支持部３１ａ、３１ａ´を対向して形成し、このソケット台をランプ軸線ｘ―ｘを中心線として反転して支持することによりソケット台の設置位置、すなわち設置角度を変えて調整するように構成する。
【０１００】
すなわち、一方の支持部３１ａの両端を折り曲げてソケット支持部３１ｂ及びランプを保持する保持具３１ｃを一体に形成し、ソケット支持部３１ｂ及び保持具３１ｃは、ランプ軸線ｘ−ｘに対して直角に形成し、支持部３１ａ、３１ａ´は、ランプ軸線ｘ−ｘに対して、約４〜５度の角度ａで傾斜させて構成する。
【０１０１】
角度ａは、図６において、支持部３１ａ、３１ａ´と平行な線ｙ−ｙとランプ軸線ｘ−ｘとの角度ａで示している。ｙ−ｙ線は水平な線で、かつ器具の長手方向の軸線でもある。
【０１０２】
上記に構成したソケット台３１を、実施例１と同様に、図６に示すように、本体１２の収納部１２ｃに収納し、一方の支持部３１ａを調整機構１６の調整板１６ａにボルト１５ｊで固定して支持する。
【０１０３】
なお、調整板１６ａは仕切壁１２ａの底面に形成された支持ボス１２ｈにボルト１６ｂで支持されている。
【０１０４】
これにより、ソケット台３１のソケット１４が水平線と平行する器具の軸線ｙ−ｙに対して、下方に約４〜５度の角度ａで傾斜した状態で取り付けられる。
【０１０５】
上記に取り付けられたソケット台３１に、実施例１と同様に、直管形の高圧ナトリウムランプ１１を、口金側から保持具３１ｃに挿通し、口金を下方に傾斜したソケット１４にねじ込む。
【０１０６】
これにより、直管形のランプ１１の軸線ｘ―ｘが、器具の軸線ｙ−ｙに対して約４〜５度の角度ａで、先端が下向きに傾斜した状態で取り付けられ、直管形のランプ１１を透孔体１３のガラス面に、一層近づけて取り付けることができ、より広い範囲を高効率に照明することができる。
【０１０７】
また、中央部が膨らんだＢＴ形バルブを有する水銀ランプ１１´を使用する場合には、図７に示すように、上記構成のソケット台３１を、ランプ軸線ｘ−ｘを中心線として１８０度の角度で反転し、他方の支持部３１ａ´を、実施例１と同様に、調整機構１６の調整板１６ａにボルト１５ｊで固定して支持する。
【０１０８】
これにより、ソケット台３１のソケット１４が器具の軸線ｙ−ｙに対して約４〜５度の角度ａで上方に傾斜した状態で取り付けられる。
【０１０９】
上記に取り付けられたソケット台３１に、ＢＴ形バルブの水銀ランプ１１´を、口金側から保持具３１ｃに挿通し、口金を上方に傾斜したソケット１４にねじ込む。
【０１１０】
これにより、ＢＴ形バルブの水銀ランプ１１´の軸線ｘ―ｘが、器具の軸線ｙ−ｙに対して約４〜５度の角度ａで、先端上向きに傾斜した状態で取り付けられ、中央部が膨らんだＢＴ形バルブが透孔体１３のガラス面に接触して干渉することなく取り付けることができる。
【０１１１】
本実施例において、ソケット台３１を図６の状態から図７の状態に反転した状態で、ＢＴ形バルブ１１´を取り付けるように構成したが、図８に示すように支持部３１ａ、３１ａ´の傾斜方向を変えて、反転した状態で直管形のランプ１１が取り付けられるように構成してもよい。
【０１１２】
この場合には、図８（ｂ）に示すように、一方の支持部３１ａを、実施例１と同様に、調整機構１６の調整板１６ａに固定すると、ソケット台３１のソケット１４が器具の軸線ｙ−ｙに対して約４〜５度の角度ａで上方に傾斜した状態で取り付けられるので、中央部が膨らんだＢＴ形バルブを有する水銀ランプ１１´が取り付けられる。
【０１１３】
また、図８（ａ）に示すように、反転して、他方のソケット支持部３１ａ´を、実施例１と同様に、調整機構１６の調整板１６ａに固定すると、ソケット台３１のソケット１４が器具の軸線ｙ−ｙに対して下方に約４〜５度の角度ａで傾斜した状態で取り付けられるので、直管形のランプ１１が取り付けられる。
【０１１４】
本実施例において、実施例１と同様に、ソケット台３１の支持部３１ａ、３１ａ´を、３対、計６個の設置孔を有する調整板１６ａに支持するように構成し、ソケット台３１の設置位置を調整して配光を制御するようにしたが、調整板１６ａを介さずに、支持部３１ａ、３１ａ´を、直接、支持ボス１２ｈに支持するようにして、調整板１６ａによる配光制御は行わないように構成してもよい。
【０１１５】
また、ソケット台３１のソケット支持部３１ｂ及び保持具３１ｃをランプ軸線ｘ−ｘに対して直角に形成したが、直角にすることが条件でなく、ランプ軸線ｘ−ｘに対して多少傾斜させて形成するようにしてもよい。
【０１１６】
本実施例によれば、ソケット台３１をランプ軸線ｘ―ｘを中心線として反転して支持することにより設置角度を変え、ソケット台３１の設置位置を調整するようにしたので、簡単な構成及び簡易な手段により各種ランプの形状、大きさ等に対応して設置することが可能な照明器具を提供することができる。
【０１１７】
従来では、ランプの形状、大きさ等の種別が変わる場合には、都度、新たにソケット台を製作して対応していた。
【０１１８】
しかし、昨今の配光の左右への広がりの拡大等、照明性能の向上要求と、多様なランプを使用することが可能となるための性能要求には対応することができなかった。
【０１１９】
特に、直管形のランプにおいては、ランプを可能な限り透光体のガラス面に近づけて、より広い範囲を高効率に照明することが要求されている。
【０１２０】
一方、中央部が膨らんだＢＴ形バルブを有するランプを用いる場合には、ソケット台が同じ位置であると、ランプに膨らみがある分、透光体のガラスに干渉してしまう問題が生じていた。
【０１２１】
これに対し本実施例によれば、一つのソケット台を反転する簡単な構成及び簡易な操作により、直管形のランプの場合には、ランプ先端を下向きにして、少しでも透光体のガラスに近づけて、より広い範囲を高効率に照明することができ、さらに中央部が膨らんだＢＴ形バルブのランプを使用する場合には、ランプ先端を上向きにしてランプとガラスとの距離を稼ぎ、ガラスとの干渉問題を防ぐことができる。
【０１２２】
これにより、設置現場においても、各種ランプに、即、対応することができ、さらに直管形のランプ使用時には最適な特性を発揮することができ、ＢＴ形バルブのランプ使用時には、振動に対してガラスなどと干渉する危険性を軽減することが可能となる。
【０１２３】
なお、本実施例におけるその他の構成、作動、作用効果、変形例等は実施例１と同様である。
【０１２４】
以上、本発明の好適な実施例を説明したが、本発明は上述の各実施例に限定されることなく、本発明の要旨を逸脱しない範囲内において、種々の設計変更を行うことができる。
【図面の簡単な説明】
【０１２５】
【図１】本発明の第１の実施例における照明器具を示し、（ａ）は照明器具を、一部を切り欠いて示す斜視図、（ｂ）は照明器具のソケット台を示す斜視図。
【図２】同じく照明器具の調整機構を、分解し一部を切り欠いて示す斜視図。
【図３】同じく照明器具を示し、（ａ）は照明器具を、一部を切り欠いて示す側面図、（ｂ）は（ａ）のＡ部を拡大して示す断面図、（ｃ）は（ａ）における標準の配光状態を示す図。
【図４】同じく照明器具の調整機構を示し、（ａ）は一部を切り欠いて示す側面図、（ｂ）は（ａ）における直下の配光状態を示す図。
【図５】同じく照明器具の調整機構を示し、（ａ）は一部を切り欠いて示す側面図、（ｂ）は（ａ）における前方の配光状態を示す図。
【図６】本発明の第２の実施例における直管形のランプを取り付けた照明器具を、一部を切り欠いて示す側面図。
【図７】同じくＢＴ形のランプを取り付けた照明器具を、一部を切り欠いて示す側面図。
【図８】同じく照明器具の変形例を示し、（ａ）は直管形のランプを取り付けた状態を示す側面図、（ｂ）はＢＴ形のランプを取り付けた状態を示す側面図。
【符号の説明】
【０１２６】
１０  照明器具
１１  ランプ
１２  本体
１３  透光体
１４  ソケット
１５  ソケット台
１５ｃ  保持具
１６  調整機構
【図１】
0004563924.tif 000002
【図２】
0004563924.tif 000003
【図３】
0004563924.tif 000004
【図４】
0004563924.tif 000005
【図５】
0004563924.tif 000006
【図６】
0004563924.tif 000007
【図７】
0004563924.tif 000008
【図８】
0004563924.tif 000009